(57)【特許請求の範囲】
【請求項１】
タクシーに搭載される電子マネー決済装置と電子マネーセンタとが通信を行い電子マネーによる決済を行う電子マネー決済システムにおけるタクシーの電子マネー決済装置であって、
始業処理要求を前記電子マネーセンタに送信し、前記電子マネーセンタと始業処理を行う始業処理部と、
前記始業処理が正常に完了したか否かを判定する始業処理判定部と、
入力される指示に基づいて、前記タクシーのステータスが、前記タクシーに乗車した顧客が支払いを行う状態を示す第１のステータスと、前記支払い以外の状態を示す第２のステータスとのうち、いずれであるかを表す情報を記憶するステータス記憶部と、
前記始業処理が正常に完了しなかったときに、前記タクシーのステータスが第１のステータスである場合、始業処理を実施せず、前記タクシーのステータスが第２のステータスである場合、再度始業処理を行うか否かを判断する始業処理管理部とを有し、
前記第２のステータスは、前記顧客が自車に乗車していないことを表す空車、前記顧客が自車に乗車したことを表す実車、自車が高速道路を走行していることを表す高速、のいずれかを表す情報であり、
前記ステータス記憶部は、前回のステータスを記憶しており、
前記始業処理管理部は、今回のステータスが高速である場合、あるいは、空車または実車であって前記ステータス記憶部に記憶された前回のステータスと異なる場合、始業処理を再度行う
ことを特徴とするタクシーの電子マネー決済装置。
【請求項２】
全地球測位システムが接続され、タクシーに搭載される電子マネー決済装置と電子マネーセンタとが通信を行い電子マネーによる決済を行う電子マネー決済システムにおけるタクシーの電子マネー決済装置であって、
始業処理要求を前記電子マネーセンタに送信し、前記電子マネーセンタと始業処理を行う始業処理部と、
前記始業処理が正常に完了したか否かを判定する始業処理判定部と、
入力される指示に基づいて、前記タクシーのステータスが、前記タクシーに乗車した顧客が支払いを行う状態を示す第１のステータスと、前記支払い以外の状態を示す第２のステータスとのうち、いずれであるかを表す情報を記憶するステータス記憶部と、
前記始業処理が正常に完了しなかったときに、前記タクシーのステータスが第１のステータスである場合には始業処理を実施せず、前記タクシーのステータスが第２のステータスであって前記ステータス記憶部に記憶された前回のステータスと異なる場合には始業処理を再度行う始業処理管理部と、
営業対象範囲を複数に分割したエリアと当該エリア内において始業処理を正常に完了することができる割合を表す成功率とを対応付けて記憶する成功率情報記憶部とを有し、
前記ステータス記憶部は、前回のステータスを記憶しており、
前記始業処理管理部は、前回のステータスと同じであり、かつ、前記第２のステータスである場合、前記全地球測位システムから得られる自車の現在位置と前記成功率情報とに基づいて、自車の現在位置に該当エリアに対応付けられた成功率を読み出し、読み出した成功率が所定の基準値以上である場合に始業処理を再度行い、基準値未満である場合に始業処理を行わない
ことを特徴とするタクシーの電子マネー決済装置。
【請求項３】
全地球測位システムが接続され、タクシーに搭載される電子マネー決済装置と電子マネーセンタとが通信を行い電子マネーによる決済を行う電子マネー決済システムにおけるタクシーの電子マネー決済装置であって、
始業処理要求を前記電子マネーセンタに送信し、前記電子マネーセンタと始業処理を行う始業処理部と、
前記始業処理が正常に完了したか否かを判定する始業処理判定部と、
入力される指示に基づいて、前記タクシーのステータスが、前記タクシーに乗車した顧客が支払いを行う状態を示す第１のステータスと、前記支払い以外の状態を示す第２のステータスとのうちいずれであるかを表す情報を記憶するステータス記憶部と、
前記始業処理が正常に完了しなかったときに、前記タクシーのステータスが第１のステータスである場合には始業処理を実施せず、前記タクシーのステータスが第２のステータスであって前記ステータス記憶部に記憶された前回のステータスと異なる場合には始業処理を再度行う始業処理管理部と、
営業対象範囲を複数に分割したエリアと当該エリア内において始業処理を正常に完了することができる割合を表す成功率とを対応付けて記憶する成功率情報記憶部とを有し、
前記ステータス記憶部は、前回のステータスを記憶しており、
前記始業処理管理部は、前回のステータスとは異なる場合に、前記全地球測位システムから得られる自車の現在位置と前記成功率情報とに基づいて、自車の現在位置に該当エリアに対応付けられた成功率を読み出し、読み出した成功率が所定の基準値以上である場合に始業処理を再度行い、基準値未満である場合に始業処理を行わない
ことを特徴とするタクシーの電子マネー決済装置。
【請求項４】
タクシーに搭載される電子マネー決済装置と電子マネーセンタとが通信を行い電子マネーによる決済を行う電子マネー決済システムにおけるタクシーの電子マネー決済装置であって、
外部の全地球測位システムと通信を行って自車の位置を測定する位置測定部と、
営業対象範囲を複数に分割したエリアと当該エリア内において始業処理を正常に完了することができる割合を表す成功率とを対応付けて記憶する成功率情報記憶部と、
測定された自車の位置と前記成功率情報とに基づいて、自車の位置に該当するエリアに対応付けられた成功率を前記成功率情報記憶部から読み出し、読み出した成功率が所定の基準値以上であるか否かを判定する第１の判定部と、
前記成功率が所定の基準値以上である場合に、前記電子マネーセンタとの通信が通信圏内であるか否かを判定する第２の判定部と、
前記成功率が所定値未満あるいは前記電子マネーセンタとの通信が通信圏内ではない場合に始業処理を行わず、前記電子マネーセンタとの通信が通信圏内である場合に、始業処理を行う始業処理管理部と、
を有することを特徴とするタクシーの電子マネー決済装置。
【発明の詳細な説明】
【技術分野】
【０００１】
本発明は、タクシーの電子マネー決済装置、プログラム、始業処理管理方法に関する。
【背景技術】
【０００２】
近年、様々な場面において、電子マネーの利用が広がっている。電子マネーに関連する技術として、例えば、下記の特許文献に記載された技術がある。このような電子マネーは、例えば、百貨店や駅構内の店舗、コンビニエンスストア等の店舗において、利用可能になりつつある。また、このような店舗のみではなく、タクシーの精算においても、電子マネーを利用することができるようになってきた。
【０００３】
タクシーにおいて電子マネー決済を行う場合、タクシーの始業時（その日の営業開始時）に電子マネーセンタとタクシー内の電子マネー決済装置とが通信を行い、認証等の手続きを行う必要がある。以下、これら電子マネー決済サービスを開始させる一連の手続きを始業処理という。
【０００４】
始業処理において、電子マネー決済装置の使用可否をチェックする認証、電子マネー決済装置と電子マネーセンタとの間の時刻の同期、ネガティブデータのダウンロード、ファームウェアの更新等が実施される。ネガティブデータとは、利用停止カード情報であり、紛失や盗難にあったカード等のリストが含まれている。このような始業処理を行わない場合、不正な電子マネー決済装置や電子マネー用カードが利用される恐れがあるため、始業処理は、始業ごとに行う必要がある。始業処理が完了していない状態では、電子マネー決済処理を行うことができない。よって、電子マネー決済装置と電子マネーセンタとの間において通信不良等の理由により始業処理が失敗すると、始業処理が成功するまで、この始業処理を繰り返す（リトライする）ことが行われている。
【先行技術文献】
【特許文献】
【０００５】
【特許文献１】特開２００５−２４２８９５号公報
【発明の概要】
【発明が解決しようとする課題】
【０００６】
しかしながら、上述の技術においては、電子マネー決済装置は、通常、タクシーに搭載されるために、電子マネーセンタに対し、移動体通信を行う。この場合、通信不良が発生し、電子マネー決済装置と電子マネーセンタとの間において通信が失敗することがある。始業処理で失敗すると、リトライを行うが、失敗時と同じ環境でのリトライは、成功につながらず、通信費が増大するばかりであった。すなわち、リトライが行われる毎に、通信パケットが嵩むため、その分の通信費が増大する。
【０００７】
また、始業処理が正常に行われないままであり、始業処理そのものを断念すると、電子マネー決済による売上機会の損失に繋がる。
また、通信が良好な場合でも、ネガティブデータのダウンロードやファームウェアの更新には時間を要するため、他の業務の実施と重なると妨げとなることもあった。
【０００８】
本発明は、このような事情に鑑みてなされたもので、その目的は、無駄なリトライを削減するタクシーの電子マネー決済装置、プログラム、始業処理管理方法を提供することにある。
【課題を解決するための手段】
【０００９】
上述した課題を解決するために、本発明は、タクシーに搭載される電子マネー決済装置と電子マネーセンタとが通信を行い電子マネーによる決済を行う電子マネー決済システムにおけるタクシーの電子マネー決済装置であって、始業処理要求を前記電子マネーセンタに送信し、前記電子マネーセンタと始業処理を行う始業処理部と、前記始業処理が正常に完了したか否かを判定する始業処理判定部と、入力される指示に基づいて前記タクシーのステータスが、前記タクシーに乗車した顧客が支払いを行う状態であることを表す第１のステータスと、前記支払い以外の状態であることを表す第２のステータスとのうちいずれであるかを表す情報を記憶するステータス記憶部と、前記始業処理が正常に完了しなかった場合に、前記ステータス記憶部に記憶されたステータスを読み出し、第２のステータスである場合には始業処理を再度行い、第１のステータスである場合には、始業処理を行わない始業処理管理部と、を有することを特徴とする。
【００１０】
また、本発明は、上述のタクシーの電子マネー決済装置において、前記第２のステータスは、前記顧客が自車に乗車していないことを表す空車、前記顧客が自車に乗車したことを表す実車、自車が高速道路を走行していることを表す高速、のいずれかを表す指示が入力された場合であることを特徴とする。
【００１１】
また、本発明は、上述のタクシーの電子マネー決済装置において、前記ステータス記憶部は、前回のステータスを記憶し、前記始業処理管理部は、前記ステータス記憶部に記憶されたステータスと、今回指示がされたステータスとを比較し、今回のステータスが空車または実車であり、前回のステータスとは異なる場合に、始業処理を再度行うことを特徴とする。
【００１２】
また、本発明は、上述のタクシーの電子マネー決済装置において、前記電子マネー決済システムには、全地球測位システムが接続され、前記電子マネー決済装置は、営業対象範囲を複数に分割したエリアと当該エリア内において始業処理を正常に完了することができる割合を表す成功率とを対応付けて記憶する成功率情報記憶部と、を有し、前記始業処理管理部は、前回のステータスと同じであり、かつ、前記第２のステータスである場合、前記全地球測位システムから得られる自車の現在位置と前記成功率情報とに基づいて、自車の現在位置に該当エリアに対応付けられた成功率を読み出し、読み出した成功率が所定の基準値以上である場合に始業処理を再度行い、基準値未満である場合に始業処理を行わないことを特徴とする。
【００１３】
また、本発明は、上述のタクシーの電子マネー決済装置において、前記電子マネー決済システムには、全地球測位システムが接続され、前記電子マネー決済装置は、営業対象範囲を複数に分割したエリアと当該エリア内において始業処理を正常に完了することができる割合を表す成功率とを対応付けて記憶する成功率情報記憶部と、を有し、前記始業処理管理部は、前回のステータスとは異なる場合に、前記全地球測位システムから得られる自車の現在位置と前記成功率情報とに基づいて、自車の現在位置に該当エリアに対応付けられた成功率を読み出し、読み出した成功率が所定の基準値以上である場合に始業処理を再度行い、基準値未満である場合に始業処理を行わないことを特徴とする。
【００１４】
また、本発明は、タクシーに搭載される電子マネー決済装置と電子マネーセンタとが通信を行い電子マネーによる決済を行う電子マネー決済システムにおけるタクシーの電子マネー決済装置であるコンピュータに、始業処理要求を前記電子マネーセンタに送信し、前記電子マネーセンタと始業処理を行う始業処理手段と、前記始業処理が正常に完了したか否かを判定する始業処理判定手段と、前記始業処理が正常に完了しなかった場合に、入力される指示に基づいて前記タクシーのステータスが、前記タクシーに乗車した顧客が支払いを行う状態であることを表す第１のステータスと、前記支払い以外の状態であることを表す第２のステータスとのうちいずれであるかを表す情報を参照し、第２のステータスである場合には始業処理を再度行い、第１のステータスである場合には、始業処理を行わない始業処理管理手段、を実行させるためのプログラムである。
【００１５】
また、本発明は、上述のタクシーの電子マネー決済装置において、タクシーに搭載される電子マネー決済装置と電子マネーセンタとが通信を行い電子マネーによる決済を行う電子マネー決済システムにおけるタクシーの電子マネー決済装置における始業処理管理方法であって、前記電子マネー決済装置の始業処理部が、始業処理要求を前記電子マネーセンタに送信し、前記電子マネーセンタと始業処理を行い、前記電子マネー決済装置の始業処理判定部が、前記始業処理が正常に完了したか否かを判定し、前記電子マネー決済装置の始業処理管理部が、前記始業処理が正常に完了しなかった場合に、入力される指示に基づいて前記タクシーのステータスが、前記タクシーに乗車した顧客が支払いを行う状態であることを表す第１のステータスと、前記支払い以外の状態であることを表す第２のステータスとのうちいずれであるかを表す情報を参照し、第２のステータスである場合には始業処理を再度行い、第１のステータスである場合には、始業処理を行わないことを実行する。
【００１６】
また、本発明は、タクシーに搭載される電子マネー決済装置と電子マネーセンタとが通信を行い電子マネーによる決済を行う電子マネー決済システムにおけるタクシーの電子マネー決済装置であって、外部の全地球測位システムと通信を行って自車の位置を測定する位置測定部と、営業対象範囲を複数に分割したエリアと当該エリア内において始業処理を正常に完了することができる割合を表す成功率とを対応付けて記憶する成功率情報記憶部と、測定された自車の位置と前記成功率情報とに基づいて、自車の位置に該当するエリアに対応付けられた成功率を前記成功率情報記憶部から読み出し、読み出した成功率が所定の基準値以上であるか否かを判定する第１の判定部と、前記成功率が所定の基準値以上である場合に、前記電子マネーセンタとの通信が通信圏内であるか否かを判定する第２の判定部と、前記成功率が所定値未満あるいは前記電子マネーセンタとの通信が通信圏内ではない場合に始業処理を行わず、前記電子マネーセンタとの通信が通信圏内である場合に、始業処理を行う始業処理管理部と、を有することを特徴とする。
【００１７】
タクシーに搭載された電子マネー決済装置と電子マネーセンタとが通信する電波環境は常に変化する。よって、ステータスをメーター装置から状態通知を受信した時には、前回の受信時とは電波環境が異なっていると考えられる。その契機で始業処理をリトライすることにより、同じ環境での失敗を繰り返さないことで成功率を上げ、無駄な通信を防ぎ、通信費の節約となる。成功率が上がることで、電子マネー決済による売上機会損失を低減させることができる。また、タクシーの現在位置からリトライに適している契機かどうか判断することで、通信回線の占有による、通信を伴う他の業務の妨げを防ぐ。
【発明の効果】
【００１８】
以上説明したように、この発明によれば、ステータスを検出し、ステータスに変化があった場合は、タクシーが移動しているものと見なし、そのステータスが支払い以外である場合には、始業処理を再度行うようにしたので、失敗時とは異なる電波環境において再度始業処理を行うことができ、無駄な通信を防ぐことができる。これにより、通信費の節約も可能となる。
【図面の簡単な説明】
【００１９】
【図１】この発明の一実施形態によるタクシーの電子マネー決済装置を含む電子マネー決済システムの構成を示す概略ブロック図である。
【図２】決済端末１０の構成を表す機能ブロック図である。
【図３】メーター装置１１の構成を表す機能ブロック図である。
【図４】営業状態の変遷を説明する図である。
【図５】電子マネーカードＲ／Ｗ１２の構成を表す機能ブロック図である。
【図６】無線通信モジュール１３の構成を表す機能ブロック図である。
【図７】電子マネーセンタ２の構成を表す機能ブロック図である。
【図８】情報処理センタ３の構成を表す機能ブロック図である。
【図９】第１の実施形態における決済端末１０の動作を説明するフローチャートである。
【図１０】第１の実施形態における電子マネー決済システムの動作を説明する図である。
【図１１】第２の実施形態における電子マネー決済システムの動作を説明する図である。
【図１２】始業処理実施位置情報を表す図である。
【図１３】成功率情報を表す図である。
【図１４】第３の実施形態における決済端末１０の動作を表すフローチャートである。
【発明を実施するための形態】
【００２０】
以下、本発明の一実施形態によるタクシーの電子マネー決済装置について図面を参照して説明する。図１は、この発明の一実施形態によるタクシーの電子マネー決済装置を含む電子マネー決済システムの構成を示す概略ブロック図である。
この図において、電子マネー決済システムは、電子マネー決済装置１が、ネットワーク５を介して電子マネーセンタ２と、情報処理センタ３とに接続される。また、符号ａに示すように、電子マネーセンタ２ａが情報処理センタ３ａに接続され、この情報処理センタ３ａがネットワーク６電子マネー決済装置１に接続される場合もある。
【００２１】
電子マネー決済装置１は、タクシーに搭載され、電子マネーセンタ２と通信を行い、タクシーの料金の決済を電子マネーにて行う。電子マネー決済装置１は、決済端末１０、メーター装置１１、電子マネーカードリーダライタ（Ｒ／Ｗ）１２、無線通信モジュール１３、測位機器１４を有する。測位機器１４は、自車の位置を測定する機能を有し、例えば、ＧＰＳ（Global Positioning System；全地球測位システム）である。
【００２２】
電子マネーセンタ２は、電子マネー取引に関する情報を記憶する記憶部を有し、電子マネー決済装置と通信する。
情報処理センタ３は、決済情報、決済端末情報を記憶し、電子マネー決済装置１の決済端末１０と通信する。また、カード決済サービスセンタや電子マネーセンタ２との中継機能を持つ。
【００２３】
図２は、決済端末１０の構成を表す機能ブロック図である。決済端末１０は、制御部１０１、記憶部１０２、通信部１０３、表示部１０４、入力部１０５、カード読み取り部１０６、スピーカ部１０７と、を有し、決済用のカードから情報を読み取り、電子マネーセンタ２や情報処理センタ３と通信を行い、決済処理を行う。この決済端末１０は、例えば、ハンディタイプのものであり、ユーザ（タクシーの運転手）が、タクシーの車内にて操作可能である。
【００２４】
制御部１０１は、決済端末１０内の各部を制御する。また、制御部１０１は、メーター装置１１から金額や営業状態（ステータス）の通知を受信し、現金、クレジットカード、電子マネー等のうち、いずれか１つを選択された決済方法に従って、決済処理を行う。制御部１０１は、オンライン決済時には、無線通信モジュール１３を介して情報処理センタ３と通信を行い、情報処理センタ３から決済を行うことに関する承認の指示を受信して決済処理を行う。
【００２５】
また、制御部１０１は、始業処理要求を電子マネーセンタ２に送信し、電子マネーセンタ２と始業処理を行う始業処理機能と、始業処理が正常に完了したか否かを判定する始業処理判定機能と、始業処理が正常に完了しなかった場合に、記憶部１０２に記憶されたステータスを読み出し、第２のステータスである場合には始業処理を再度行い、第１のステータスである場合には、始業処理を行わない始業処理管理機能と、を有する。この始業処理管理機能は、始業処理が正常に完了しなかった場合であって、第２のステータスである場合、測位機器１４から得られる自車の現在位置と記憶部１０２に記憶された始業処理実施位置情報とに基づいて、自車の現在位置が始業処理実施位置に該当するか否かを判定し、該当する場合には、始業処理を再度行い、該当しない場合には、始業処理を行わない機能を含む。
【００２６】
記憶部１０２は、メモリ装置等であり、各種情報を記憶する。例えば、記憶部１０２は、入力部１０５から入力される指示に基づいてタクシーのステータスが、第１のステータスと第２のステータスとのうちいずれであるかを表すステータスを記憶する。この第１のステータスは、タクシーに乗車した顧客が支払いを行う状態であることを表す情報である。第２のステータスは、第１のステータスである支払い以外の状態であることを表す情報である。前記第２のステータスは、前記顧客が自車に乗車していないことを表す空車、前記顧客が自車に乗車したことを表す実車、自車が高速道路を走行していることを表す高速、のいずれかを表す指示が入力された場合である。
また、記憶部１０２は、始業処理が正常に完了した時点のタクシーの位置を表す始業処理実施位置情報を記憶する。
【００２７】
通信部１０３は、電子マネー決済装置１内の各機器と通信を行う。表示部１０４は、例えば液晶表示装置であり、決済金額や、決済処理の進行状況を表す情報を表示する。入力部１０５は、例えば、テンキーや各種コマンドを入力する機能が割り当てられたボタンであり、ユーザの指示に従い、決済処理に必要な情報を入力する。カード読み取り部１０６は、電子マネー決済を行うカードに記憶された各種情報を読み出す。スピーカ部１０７は、音声を出力する。
【００２８】
図３は、メーター装置１１の構成を表す機能ブロック図である。メーター装置１１は、制御部１１０と、記憶部１１１と、通信部１１２と、表示部１１３と、入力部１１４とを有し、タクシーの車内に設けられる。
【００２９】
制御部１１０は、顧客が乗車した場合におけるタクシーの料金を、タクシーの走行距離や時間に応じて運賃を計算し、計算結果を表示するとともに、決済端末１０に通知する。また、制御部１１０は、入力部１１４のボタンが操作されると、その操作内容に応じて、運賃計算を開始、停止、終了を行う。
記憶部１１１は、各種データを記憶する。
通信部１１２は、決済端末１０と通信を行う。
表示部１１３は、タクシーを利用した料金の算出結果や、営業状態（ステータス）を表示する。
入力部１１４は、複数のボタンから構成されており、ユーザによって押下されたボタンに割り当てられた命令を制御部１１０に入力する。この入力部１１４に割り当てられたボタンとしては、
タクシーに乗車した顧客が支払いを行う状態であることを表す「支払い」、顧客が自車に乗車していないことを表す「空車」、顧客が自車に乗車したことを表す「実車」、自車が高速道路を走行することを表す「高速」等のボタンが設けられ、いずれかのボタンを押下することで、タクシーのステータスが指示される。
【００３０】
図４は、営業状態の変遷を説明する図である。初期状態としては、乗客を乗せていないのでタクシーの営業状態は「空車」である。乗客を得るために、乗務員が車両を走行させたり、停車させて待機したりする。乗務員が乗客を得ると、乗務員は「実車ボタン」を押下する。これにより、営業状態は「空車」から「実車」に遷移する。乗務員は、乗客の指示に応じて車両を走行させ目的地に向かう。目的地に到着すると、乗務員は「支払ボタン」を押下する。これにより、営業状態は「実車」から「支払」に遷移する。乗務員は、このとき、乗客から運賃を受け取る。運賃の精算が完了し、乗客が降車すると、乗務員は「空車ボタン」を押下する。これにより、営業状態は再び「空車」に遷移する。このように、営業状態が変化する都度、乗務員によって入力部１１４の操作ボタンが押下される。これにより、押下された入力部１１４のボタン操作の内容が、記憶部１１１に一時記憶される。
また、営業状態が「実車」である際、高速道路の走行が開始され「高速ボタン」が押下されると、制御部１１０が行う運賃計算方法が高速道路走行時の運賃に応じた運賃計算方法に変更される。このとき営業状態は「実車」のままである。そして、高速道路の走行が終了し、「高速」ボタンが再度押下されると、制御部１１０が行う運賃計算方法が、一般道走行時の運賃に応じた運賃計算方法に変更される。
【００３１】
図５は、電子マネーカードＲ／Ｗ１２の構成を表す機能ブロック図である。電子マネーカードＲ／Ｗ１２は、制御部１２１と、記憶部１２２と、通信部１２３と、アンテナ部１２４と、スピーカ部１２５とを有する。
制御部１２１は、アンテナ部１２４によって決済用のカードから情報の読み出しを行い、読み出した情報を決済端末１０に送信し、必要に応じて、決済用のカードに各種情報を書き込む。記憶部１２２は、各種データを記憶する。通信部１２３は、決済端末１０と通信を行う。アンテナ部１２４は、決済用のカードから、決済に必要となる情報を読み出す。スピーカ部１２５は、音声を出力する。
【００３２】
図６は、無線通信モジュール１３の構成を表す機能ブロック図である。無線通信モジュール１３は、制御部１３１、記憶部１３２、無線通信部１３３、機器間通信部１３４とを有する。制御部１３１は、無線通信部１３３によって、無線によってネットワーク５に接続し、電子マネーセンタ２や情報処理センタ３と通信を行う機能と、機器間通信部１３４とによって、決済端末１０と通信を行う機能とを有するとともに、無線通信モジュール１３内の各部を制御する。記憶部１３２は、各種情報を記憶する。無線通信部１３３は、無線によってネットワーク５に接続して通信を行う。機器間通信部１３４は、決済端末１０と通信を行う。
【００３３】
図７は、電子マネーセンタ２の構成を表す機能ブロック図である。電子マネーセンタ２は、通信部２０１、リーダライタ（Ｒ／Ｗ）認証部２０２、決済端末時刻同期部２０３、決済情報管理部２０４、リーダライタ（Ｒ／Ｗ）メンテナンス部２０５、ネガティブデータ配信部２０６を有し、電子マネーの決済処理を行う。通信部２０１は、ネットワーク５を介して電子マネー決済装置１と通信を行う。リーダライタ（Ｒ／Ｗ）認証部２０２は、電子マネー決済装置１内の電子マネーカードＲ／Ｗ１２と通信を行い、正当な電子マネーカードＲ／Ｗであるか否かを判定し、正当なものであれば、認証を成立させ、当該電子マネーカードＲ／Ｗ１２との通信を確立する。決済端末時刻同期部２０３は、電子マネーカードＲ／Ｗ１２の時刻と、自身の電子マネーセンタ２との決済を行う時刻の同期を取る。決済情報管理部２０４は、電子マネー決済装置１との間で決済を行う際の各種情報の処理を行う。リーダライタ（Ｒ／Ｗ）メンテナンス部２０５は、電子マネーカードＲ／Ｗ１２が有するプログラムを最新のものにバージョンアップする。ネガティブデータ配信部２０６は、ネガティブデータを記憶する。
【００３４】
図８は、情報処理センタ３の構成を表す機能ブロック図である。情報処理センタ３は、通信部３０１と、決済端末認証部３０２と、決済端末時刻同期部３０３と、電子マネーセンタ中継部３０４と、決済情報管理部３０５と、決済端末メンテナンス部３０６と、カード決済サービスセンタ中継部３０７とを有する。通信部３０１は、ネットワーク５に接続された機器と通信を行う。決済端末認証部３０２は、決済端末１０が正当なものであるか否かの認証を行い、正当なものであると判定された場合には、この決済端末１０との通信を成立させ、各種決済処理を行う。決済端末時刻同期部３０３と、決済端末１０と自身の情報処理センタ３との決済を行う時刻の同期を取る。電子マネーセンタ中継部３０４は、電子マネーセンタ２との通信を行う。決済情報管理部３０５は、決済処理を行う。決済端末メンテナンス部３０６は、決済端末１０のプログラムを最新のものにバージョンアップする。カード決済サービスセンタ中継部３０７は、発行された決済カードを用いた各種サービスを提供するカード決済サービスセンタと通信を行う。
【００３５】
図９は、第１の実施形態における決済端末１０の動作を説明するフローチャートである。ここでは、メーター装置１１のメーター状態は、初期状態においては「空車」であるものとする。決済端末１０の制御部１０１は、外部からタクシーの出庫を要求する出庫要求を受信すると（ステップＳ１０）、通信部１０３が電子マネーセンタ２と通信を行う電波が圏内であるか否かを判定する（ステップＳ１１）。圏内では無い場合、制御部１０１は、ステップＳ１４に移行し、電波が圏内である場合、始業処理を行い（ステップＳ１２）、始業処理が正常に完了したか否かを判定する（ステップＳ１３）。
【００３６】
始業処理が正常に終了した場合には、制御部１０１は、この処理を終了し、始業処理が正常に終了していない場合は、メーター状態通知をメーター装置１１から受信し（ステップＳ１４）、受信したメーター状態が何であるかを判定する（ステップＳ１５）。受信したメーター状態が、「高速」であると判定した場合、制御部１０１は、ステップＳ１１に移行し、メーター状態が「支払」である場合には、ステップＳ１４に移行し、メーター状態が「空車」または「実車」である場合には、前回受信したメーター状態から変わっているか否かを判定する（ステップＳ１６）。メーター状態に変化がない場合、制御部１０１は、ステップＳ１４に移行し、メーター状態に変化がある場合には、ステップＳ１１に移行する。
【００３７】
この実施形態によれば、始業処理が正常に完了していない場合において、メーター状態が「支払」である場合には、ステップＳ１４に移行し、メーター状態を引き続き判定するようにしたので、「支払」の間は、始業処理を行わないようにすることができる。また、ステップＳ１６において、メーター状態が「空車」または「実車」であり、前回のメーター状態から変化がない場合には、ステップＳ１４に移行するようにした。これは、「空車」のままであったとすると、例えば、出庫要求がなされた後、タクシーが車庫からあまり移動していない場合である可能性があり、この場合に始業処理を行ったとしても、始業処理を完了することができる程度まで電波状態が改善されていない可能性があるので、始業処理を行わないようにすることができる。また、メーター状態が「実車」のまま変わっていない場合も、電波状態が改善されていない可能性があるので、始業処理を行わない。一方、メーター状態が変わったとすると、タクシーがある程度走行したものと考えられるので、始業処理を再度行う。このようにして、電波状態が改善されていない可能性がある場合には、始業処理を行わないようにしたので、通信量を抑えることができ、通信コストを低減することができる。
【００３８】
また、この実施形態によれば、ステップＳ１５において、メーター状態が高速である場合には、ステップＳ１１に移行するようにした。これは、「高速」は、「実車」であることも意味しており、高速道路を移動していると考えられるため、始業処理を再度行う。
【００３９】
図１０は、第１の実施形態における電子マネー決済システムの動作を説明する図である。
まず、メーター装置１１は、タクシーが出庫する際、乗務員によって挿入される乗務員のＩＤカードから乗務員ＩＤを読み出し、出庫操作がなされたことを検出し（ステップＳ１０１）、出庫通知を決済端末１０に出力する（ステップＳ１０２）。決済端末１０は、出庫応答をメーター装置１１に送信し（ステップＳ１０３）、始業処理開始を電子マネーカードＲ／Ｗ１２に出力する（ステップＳ１０４）。電子マネーカードＲ／Ｗ１２は、始業処理開始を受信すると、予め決められた時間が経過するか否かのカウントを開始し、始業処理要求を決済端末１０に送信する（ステップＳ１０５）。
【００４０】
決済端末１０は、電子マネーカードＲ／Ｗ１２から送信される始業処理要求を受信すると、始業処理要求を無線通信モジュール１３を介して電子マネーセンタ２に送信する（ステップＳ１０６、Ｓ１０７）。ここで、通信不良のため、始業処理が行われない場合、電子マネーカードＲ／Ｗ１２は、予め決められた時間を経過したことを検出し、これに基づいて、始業処理のタイムアウトを表す信号を決済端末１０に送信する（ステップＳ１０８）。ここで、決済端末１０は、始業処理が完了していない場合、始業処理のタイムアウトを受信するまでは始業処理を再度行うが、始業処理のタイムアウトを電子マネーカードＲ／Ｗ１２から受信すると、始業処理を一度終了する。
【００４１】
次に、タクシーが出庫して走行し、乗客が搭乗すると、乗務員は、メーター装置１１の実車ボタンを押下する。メーター装置１１は、実車ボタンが押下されると（ステップＳ１０９）、「実車」であることを表す状態通知を決済端末１０に送信する（ステップＳ１１０）。決済端末１０は、状態通知を受信すると、状態通知応答をメーター装置１１に送信し（ステップＳ１１１）、始業処理開始を電子マネーカードＲ／Ｗ１２に出力し（ステップＳ１１２）、始業処理開始要求を電子マネーカードＲ／Ｗ１２から受信する（ステップＳ１１３）。ここでは、電子マネーカードＲ／Ｗ１２において予め決められた時間が経過したか否かのカウントも行われる。そして、決済端末１０は、始業処理開始要求を無線通信モジュール１３を介して電子マネーセンタ２に送信する（ステップＳ１１４、１１５）。
【００４２】
電子マネーセンタ２は、無線通信モジュール１３から始業処理開始要求を受信すると、始業処理開始要求に含まれる認証情報に基づいて、決済端末１０、電子マネーカードＲ／Ｗ１２の認証を行い、正常に認証が行われると、始業処理応答を決済端末１０の無線通信モジュール１３に送信する（ステップＳ１１６）。決済端末１０は、無線通信モジュール１３によって始業処理応答を受信すると（ステップＳ１１７）、始業処理応答を電子マネーカードＲ／Ｗ１２に送信し（ステップＳ１１８）、電子マネーカードＲ／Ｗ１２から返信される始業処理終了を受信し（ステップＳ１１９）、始業処理を終了する。
【００４３】
この実施形態においては、ステップＳ１０９の実車ボタンが押下されたことを契機として、空車から実車にメーター状態が変わったことが検出されるので、始業処理が再度行われる。ここでは、空車から実車に変わることにより、タクシーがある程度走行し、電波環境が変化しているので、リトライするようにした（ただし、圏外である場合には、リトライを行わない）。
【００４４】
図１１は、第２の実施形態における電子マネー決済システムの動作を説明する図である。
この実施形態において、電子マネー決済システムの各部の機能は、第１の実施形態と同じであるが、動作が異なる。
ここでは、図１０におけるステップＳ１０１からＳ１１５までと同様に、ステップＳ２０１からステップＳ２１５までの動作が行われる。
電子マネーセンタ２は、始業処理応答を無線通信モジュール１３に送信する（ステップＳ２１６）。ここでは、電波状態が悪く、始業処理応答が正常に無線通信モジュール１３に届かなかった場合、決済端末１０から電子マネーカードＲ／Ｗ１２に始業処理応答が通知されない。これにより、電子マネーカードＲ／Ｗ１２は、予め決められた時間内に始業処理応答が通知されなかったことを検出すると、始業処理のタイムアウトを決済端末１０に送信する（ステップＳ２１７）。
【００４５】
そして、タクシーが走行して目的地に到達し、タクシーが停止し、支払いボタンが押下されると、メーター装置１１は、支払いボタンが押下されたことを検出し（ステップＳ２１８）、「支払」であることを表す状態通知を決済端末１０に送信し（ステップＳ２１９）、決済端末１０から送信される状態通知応答を受信する（ステップＳ２２０）。
【００４６】
次に、支払いが終了して乗客がタクシーから降りた後、乗務員によって空車ボタンが押下されると、メーター装置１１は、空車ボタンが押下されたことを入力し（ステップＳ２２１）、空車であることを表す状態通知を決済端末１０に送信する（ステップＳ２２２）。決済端末１０は、状態通知を受信すると、状態通知応答をメーター装置１１に送信し（ステップＳ２２３）、始業処理要求を電子マネーカードＲ／Ｗ１２に送信する（ステップＳ２２４）。電子マネーカードＲ／Ｗ１２は、始業処理要求を受信すると（ステップＳ２２５）、始業処理応答を決済端末１０に送信するとともに、予め決められた時間が経過したか否かのカウントを行う。
【００４７】
決済端末１０は、始業処理応答を受信すると、始業処理要求を無線通信モジュール１３を介して電子マネーセンタ２に送信する（ステップＳ２２６、Ｓ２２７）。電子マネーセンタ２は、始業処理要求を受信すると、始業処理に含まれる認証情報を用いて決済端末１０と電子マネーカードＲ／Ｗ１２とについて認証を行い、認証が正常に終了すると、始業処理応答を、決済端末１０の無線通信モジュール１３に送信する（ステップＳ２２８）。決済端末１０は、無線通信モジュール１３によって始業処理応答を電子マネーセンタ２から受信すると（ステップＳ２２９）、始業処理応答を電子マネーカードＲ／Ｗ１２に送信し（ステップＳ２３１）、電子マネーカードＲ／Ｗ１２から送信される始業処理終了の通知を受信する（ステップＳ２３１）。
【００４８】
以上説明した実施形態によれば、ステップＳ２１９において、決済端末１０は、「支払」のメーター状態を受信するが、この場合、メーター状態が「支払」であるため、始業処理を再度行わない。そして、ステップＳ２２２において、「空車」のメーター状態を受信すると、メーター状態が支払から空車に変わったため、再度始業処理を行うようにした。これにより、支払い以外において始業処理を再度行うことができる。
【００４９】
次に、第３の実施形態について図面を用いて説明する。ここでは、電子マネー決済システムの各部の機能は、基本的に第１の実施形態と同じであるので、その説明を省略し、異なる点を説明する。
【００５０】
図１２は、この実施形態における決済端末１０の記憶部１０２に記憶される始業処理実施位置情報を表す図である。始業処理実施位置情報は、始業処理を行ったときのタクシーの位置とその実施結果とを示す情報であり、図１２においては、一例として、始業処理を開始した時点の日時と、タクシーの位置を表す緯度及び経度と、実施結果とが、レコードＩＤに対応付けられている。
【００５１】
図１３は、この実施形態における決済端末１０の記憶部１０２に記憶される成功率情報を表す図である。
成功率情報は、営業対象範囲を複数に分割したエリアと当該エリア内において始業処理を正常に完了することができる割合を表す成功率とが対応付けられた情報である。この図においては、エリアと成功率に対してさらに、時間帯が対応付けられており、各エリアの時間帯毎の成功率が把握できるようになっている。
【００５２】
図１４は、第３の実施形態における決済端末１０の動作を表すフローチャートである。
まず、決済端末１０は、測位機器１４から自車の現在位置を表す位置情報を取得する（ステップＳ３０１）。制御部１０１は、記憶部１０２の成功率情報を参照し（ステップＳ３０２）、取得した位置情報に該当するエリアであって、現在の時刻に対応する時間帯に対応付けられた成功率を読み出す。そして制御部１０１は、この成功率が予め決められた基準値以上であるか否かを判定し（ステップＳ３０３）、基準値未満である場合には、ステップＳ３０１に移行し、基準値以上である場合には、ステップＳ３０４に移行する。
【００５３】
制御部１０１は、電子マネーセンタ２との通信を行うための電波が圏内であるか否かを判定し（ステップＳ３０４）、圏内でなければステップＳ３０１に移行し、圏内であれば、始業処理を行うとともに、始業処理を開始した時刻を内部のクロックから得る（ステップＳ３０５）。そして制御部１０１は、得られた始業処理開始時の日時と、取得した位置情報（緯度及び経度）、実施結果を対応付けて始業処理実施位置情報として記憶部１０２に記憶する（ステップＳ３０６）。
【００５４】
制御部１０１は、始業処理が成功したか否かを判定し（ステップＳ３０７）、始業処理が成功した場合（正常に完了した場合）には、始業処理を終了する。一方、始業処理が成功しなかった場合（正常に完了しなかった場合）には、ステップＳ３０１に移行する。
【００５５】
以上説明した実施形態によれば、自車の現在位置における始業処理の成功率が基準値以上であるか否かを判定するようにしたので、始業処理が成功する確率が高い場合には再度始業処理を行い、成功する確率が低い場合には、始業処理を行わないようにした。これにより、始業処理を正常に終了することが一定の確率以下である場所にいる場合には、始業処理が再度行われないので、通信量を抑えることができる。
【００５６】
また、以上説明した実施形態において、記憶部１０２に記憶された始業処理実施位置情報は、１日１回あるいは売上データを上位のサーバに送信する際に、合わせて送信される。これにより、上位のサーバにおいて、始業処理実施位置情報に含まれる情報に基づいて、各エリアを時間帯に分けて成功率が計算され、更新される。この更新された情報は、始業処理を行うタイミングで上位サーバから決済端末１０に送信するようにしてもよいし、１日１回あるいは売上データを受信する際に、決済端末１０に送信するようにしてもよい。
また、この成功率の更新は、自車の実績を元に更新してもよいし、他車の始業処理実施位置情報も含めて成功率を更新するようにしてもよい。
【００５７】
また、以上説明した第１、第２の実施形態における機能と第３の実施形態における機能とを組合せるようにしてもよい。例えば、第１、第２の実施形態において、メーター状態を元に、始業処理を再度行うことを判定した場合に、さらに、第３の実施形態に示すように、自車の位置情報と、現在時刻を用いて成功率情報を参照し、現在位置における始業処理の成功率が基準値以上である場合に、始業処理を再度行うようにしてもよい。あるいは、メーター装置１１のボタン操作が行われていない間において、一定時間間隔で、自車の位置情報と、現在時刻を用いて成功率情報を参照し、始業処理を再度行うか否かを判定するようにしてもよい。
【００５８】
また、上述した実施形態において、売上データを上位サーバに送信する時間帯については、売上データの送信を優先し、始業処理を再度行わないようにしてもよい。これにより、通信の競合により、他の業務（売上データの計上）の妨げとなってしまうことを防止することができる。
【００５９】
また、図１における決済端末１０の機能を実現するためのプログラムをコンピュータ読み取り可能な記録媒体に記録して、この記録媒体に記録されたプログラムをコンピュータシステムに読み込ませ、実行することにより始業処理を再度行うか否かの管理を行ってもよい。なお、ここでいう「コンピュータシステム」とは、ＯＳや周辺機器等のハードウェアを含むものとする。
【００６０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００６１】
以上、この発明の実施形態について図面を参照して詳述してきたが、具体的な構成はこの実施形態に限られるものではなく、この発明の要旨を逸脱しない範囲の設計等も含まれる。
【符号の説明】
【００６２】
１  電子マネー決済装置
２、２ａ  電子マネーセンタ
３、３ａ  情報処理センタ
１０  決済端末
１１  メーター装置
１２  電子マネーカードＲ／Ｗ
１３  無線通信モジュール
１４  測位装置
【図１】
0005624339.tif 000002
【図２】
0005624339.tif 000003
【図３】
0005624339.tif 000004
【図４】
0005624339.tif 000005
【図５】
0005624339.tif 000006
【図６】
0005624339.tif 000007
【図７】
0005624339.tif 000008
【図８】
0005624339.tif 000009
【図９】
0005624339.tif 000010
【図１０】
0005624339.tif 000011
【図１１】
0005624339.tif 000012
【図１２】
0005624339.tif 000013
【図１３】
0005624339.tif 000014
【図１４】
0005624339.tif 000015